(57)【要約】【課題】内部空間での作業性がより良い表示装置を提供する。【解決手段】表示装置１は、筐体７と、電源ブロック４と、光源（発光ダイオード２４）と、配線部材５（６）と、を備える。筐体７は、絶縁部分（外箱８）を含む。絶縁部分は、電気絶縁性を有する。電源ブロック４は、筐体７に収容されている。光源は、電源ブロック４から電力供給を受けて点灯する。配線部材５（６）は、電源ブロック４と光源とを電気的に接続させる。配線部材５（６）は、少なくとも一部が絶縁部分に埋め込まれている。【選択図】図１
2018142522.tif 000002
【特許請求の範囲】
【請求項１】
電気絶縁性を有する絶縁部分を含む筐体と、
前記筐体に収容された電源ブロックと、
前記電源ブロックから電力供給を受けて点灯する光源と、
前記電源ブロックと前記光源とを電気的に接続させ、少なくとも一部が前記絶縁部分に埋め込まれた配線部材と、
を備えることを特徴とする表示装置。
【請求項２】
前記配線部材は帯状であることを特徴とする請求項１記載の表示装置。
【請求項３】
前記光源が取り付けられている光源ホルダを更に備え、
前記筐体は、前記電源ブロックに対してよりも前記光源ホルダに対して近い位置に、前記電源ブロックへ電力を供給するための電源線を前記筐体の外部から前記筐体の内部空間へ通すための貫通孔を含む
ことを特徴とする請求項１又は２に記載の表示装置。
【発明の詳細な説明】
【技術分野】
【０００１】
本発明は表示装置に関し、より詳細には、電源ブロックと、電源ブロックから電力供給を受けて点灯する光源とを備える表示装置に関する。
【背景技術】
【０００２】
従来例として特許文献１記載の表示装置を例示する。特許文献１記載の表示装置は、１つの面が開口した箱状の器具本体と、光源と、光源を点灯させるための、器具本体の内部空間に配置された点灯装置（電源ブロック）と、を備える。器具本体の内部空間には、配線（配線部材）が通されている。
【先行技術文献】
【特許文献】
【０００３】
【特許文献１】特開２０１３−２１８８１８号公報
【発明の概要】
【発明が解決しようとする課題】
【０００４】
しかしながら、特許文献１記載の表示装置では、配線は、器具本体の内部空間に通されている。このため、当該配線、他の配線（電源線等）又は他の部材の取付作業中に誤って他の配線又は部材と一緒に挟み込まれたり、作業者の手又は工具等に引っ掛かったりするおそれがあり、表示装置の内部空間での作業性が良くなかった。
【０００５】
本発明は、内部空間での作業性がより良い表示装置を提供することを目的とする。
【課題を解決するための手段】
【０００６】
上記の課題を解決するために、本発明の一態様に係る表示装置は、筐体と、電源ブロックと、光源と、配線部材と、を備える。前記筐体は、絶縁部分を含む。前記絶縁部分は、電気絶縁性を有する。前記電源ブロックは、前記筐体に収容されている。前記光源は、前記電源ブロックから電力供給を受けて点灯する。前記配線部材は、前記電源ブロックと前記光源とを電気的に接続させる。前記配線部材は、少なくとも一部が前記絶縁部分に埋め込まれている。
【発明の効果】
【０００７】
本発明の一態様に係る表示装置では、内部空間での作業性がより良い。
【図面の簡単な説明】
【０００８】
【図１】図１は、本発明の一実施形態に係る表示装置の分解斜視図である。
【図２】図２は、同上の表示装置において表示ユニットを取り外した状態を示す要部の正面図である。
【図３】図３は、同上の表示装置における外箱の要部と、２つの配線部材とを示す斜視図である。
【発明を実施するための形態】
【０００９】
以下、実施形態に係る表示装置１について、図面を用いて説明する。以下、特に断りのない限り、図２で矢印により示す向きで表示装置１の上下左右を規定し、図２における紙面の手前側を前とし、紙面の奥側を後とする。すなわち、後述の第一側壁８１と第三側壁８３（図１参照）とが対向している方向において、第一側壁８１側を上として、第三側壁８３側を下とする。また、後述の光源ユニット２の長手方向を左右方向とする。また、後述の外箱８のベース部８０から第一側壁８１が突出している方向を前後方向とし、第一側壁８１の先端側を前として、ベース部８０側を後とする。
【００１０】
本実施形態の表示装置１は、図１に示すように、光源ユニット２と、蓄電ユニット３と、電源ブロック４と、２つの配線部材５、６と、筐体７と、２つのランプコネクタ９と、表示ユニット１０と、を備えている。表示装置１は、例えば、誘導灯として用いられる。表示装置１は、筐体７の外面を天井面又は壁面に接触させた状態で、ネジ止めにより天井面又は壁面に固定される。蓄電ユニット３、電源ブロック４及び２つのランプコネクタ９は、筐体７に収容されている。なお、表示装置１は誘導灯に限定されない。
【００１１】
光源ユニット２は、ホルダカバー２１と、光源ホルダ２２と、２つの基板２３と、２つの発光ダイオード２４（光源）と、図示しない２つの導光部材と、漏光防止部材２５と、を備えている。
【００１２】
光源ホルダ２２は、ホルダ本体２２１と、２つのエンド部材２２２と、を有している。ホルダ本体２２１は、アルミ材などの光反射率が高い材料により形成されている。ホルダ本体２２１は、左右方向に長尺であり、左右の面と下面とが開口しており、左右方向において中心に近い部分ほど上面が窪んだ直方体状に形成されている。２つのエンド部材２２２は、合成樹脂などの電気絶縁性の材料により形成されている。２つのエンド部材２２２は、ホルダ本体２２１の長尺方向の両端に取り付けられている。漏光防止部材２５は、左右方向に長尺の板状に形成されている。漏光防止部材２５は、ホルダ本体２２１の下面の開口を塞いでいる。２つの導光部材は、光源ホルダ２２の内部に収容されている。
【００１３】
ホルダカバー２１は、合成樹脂などの電気絶縁性の材料により形成されている。ホルダカバー２１は、左右方向に長尺である。ホルダカバー２１は、下面と後面とが開口した直方体状に形成されており、光源ホルダ２２の上面と、前面と、左右の面とを覆っている。
【００１４】
２つの基板２３は、光源ホルダ２２に収容されている。２つの基板２３は、光源ホルダ２２の２つのエンド部材２２２に一対一で対応している。各基板２３は、対応するエンド部材２２２と、ホルダ本体２２１との間に取り付けられている。また、２つの基板２３は、２つの導光部材と一対一で対応している。各基板２３には、発光ダイオード２４と、発光ダイオード２４に電気的に接続された図示しない接続端子とが実装されている。
【００１５】
各基板２３上の発光ダイオード２４から放射された光は、基板２３に対応する導光部材に入射して、導光部材での屈折とホルダ本体２２１の内面での反射とを経て、漏光防止部材２５の上面から漏光防止部材２５に入射する。漏光防止部材２５は、漏光防止部材２５に入射した光を、下側の光放射面２５１から出て表示ユニット１０の後述の入射面１０５へ入射するように配光する。また、漏光防止部材２５において導光部材側の面（上面）には、図示しない光拡散フィルムが取り付けられている。光拡散フィルムで光が拡散されることにより、表示ユニット１０において、後述の表示パネル１０１の左右方向の表面輝度が略均一になる。
【００１６】
蓄電ユニット３は、蓄電池収納部３１と、蓄電池収納部３１に収納された図示しない蓄電池と、を有している。
【００１７】
表示装置１は、基台部４２と端子台４３とを更に備えている。基台部４２は、矩形板状に形成されている。基台部４２には、後面が開口した箱状の図示しない電源カバーが取り付けられており、電源カバーにより前面を覆われている。基台部４２と電源カバーとが組み合わさって、直方体状の空間を形成している。
【００１８】
電源ブロック４は、基台部４２と電源カバーとが形成する空間に収容されている。電源ブロック４は、電源用基板４１を有している。電源用基板４１は、例えばプリント配線板である。電源用基板４１には、通常時用の点灯回路と、非常時用点灯回路と、充電回路とが実装されている。端子台４３には、図示しない端子が設けられている。端子台４３の端子には、商用電源などの図示しない外部電源から電力を供給するための電源線４００（図２参照）が電気的に接続される。通常時用の点灯回路は、端子台４３の端子を介して外部電源から供給される電力を制御し、配線部材５、６により光源ユニット２の発光ダイオード２４に供給し、発光ダイオード２４を点灯させる。通常時用の点灯回路が行う、外部電源から供給される電力の制御とは、例えば、ＡＣ／ＤＣ変換器により交流電力を直流電力に変換し、ＤＣ／ＤＣ変換器により所望の直流電圧に変換することである。非常時用点灯回路は、外部電源から電力が供給されなくなったときに、蓄電ユニット３の蓄電池から供給される電力により、発光ダイオード２４を点灯させる。充電回路は、外部電源から供給される電力により蓄電ユニット３の蓄電池を充電する。
【００１９】
図２、３に示すように、配線部材５、６は帯状に形成されている。より詳細には、配線部材５、６は、例えば銅板などの金属板により形成されている。配線部材５、６は、金属板が折れ曲がった形状である。なお、配線部材５、６の形状に関して、帯状とは、本実施形態の配線部材５、６のように、板状の部材が折れ曲がった形状を含む。また、帯状とは、板状の部材が曲線状に曲がった形状をも含む。また、帯状とは、偏平な板状の形状をも含む。
【００２０】
配線部材５は、第一片５１と、長尺の第二片５２と、第三片５３と、長尺の第四片５４と、第五片５５と、を有している。これらは、この順に繋がって一体に形成されている。第二片５２の長尺方向（左右方向）の一端（右端）からは、第一片５１が前向きに突出している。第二片５２の長尺方向の他端（左端）からは、第三片５３が前向きに突出している。第三片５３の前端からは、第四片５４が上向きに突出している。第四片５４は上下方向に長尺であり、上端からは、第五片５５が右向きに突出している。第一片５１、第三片５３及び第四片５４の厚み方向は左右方向であり、第二片５２の厚み方向は前後方向であり、第五片５５の厚み方向は上下方向である。
【００２１】
配線部材６は、第一片６１と、長尺の第二片６２と、第三片６３と、長尺の第四片６４と、第五片６５と、を有している。これらは、この順に繋がって一体に形成されている。第二片６２の長尺方向（左右方向）の一端（左端）からは、第一片６１が前向きに突出している。第二片６２の長尺方向の他端（右端）からは、第三片６３が前向きに突出している。第三片６３の前端からは、第四片６４が上向きに突出している。第四片６４は上下方向に長尺であり、上端からは、第五片６５が左向きに突出している。第一片６１、第三片６３及び第四片６４の厚み方向は左右方向であり、第二片６２の厚み方向は前後方向であり、第五片６５の厚み方向は上下方向である。
【００２２】
図１に示すように、筐体７は、外箱８（絶縁部分）と、保持部材７１と、を有している。筐体７及び外箱８は、前面が開口した直方体状に形成されている。
【００２３】
外箱８は、合成樹脂などの電気絶縁性の材料により形成されており、電気絶縁性を有している。外箱８は、ベース部８０と、それぞれが板状である第一側壁８１と、第二側壁８２と、第三側壁８３と、第四側壁８４と、を含む。ベース部８０は、矩形板状に形成されている。ベース部８０の厚み方向は前後方向である。ベース部８０の上辺からは第一側壁８１が前向きに突出している。ベース部８０の左辺からは第二側壁８２が前向きに突出している。ベース部８０の下辺からは第三側壁８３が前向きに突出している。ベース部８０の右辺からは第四側壁８４が前向きに突出している。
【００２４】
保持部材７１は、例えば、金属板により形成されている。保持部材７１は、主板７１１と、４つ（図１では２つのみを図示）の位置決め板７１２と、を有している。主板７１１は矩形状に形成されている。主板７１１の厚み方向は前後方向である。主板７１１は、中央付近に孔７１３を有している。４つの位置決め板７１２は、主板７１１の４辺にそれぞれ設けられており、主板７１１から前向きに突出している。主板７１１の上辺から突出している位置決め板７１２は、引掛孔７１４を有している。図１、２に示すように、主板７１１の右辺及び左辺から突出している２つの位置決め板７１２はそれぞれ、引掛孔７１５を有している。
【００２５】
保持部材７１は、外箱８の内部に収容されている。より詳細には、保持部材７１の主板７１１と外箱８のベース部８０とが、各々の厚み方向（前後方向）において積層されている。さらに、保持部材７１の４つの位置決め板７１２は、第一側壁８１、第二側壁８２、第三側壁８３又は第四側壁８４において、外箱８の内面に接している。
【００２６】
第一側壁８１からは、外箱８の内部に向かって２つの引掛片８５が突出している。第二側壁８２及び第四側壁８４からはそれぞれ、外箱８の内部に向かって引掛片８５が突出している。各引掛片８５が保持部材７１の引掛孔７１４又は引掛孔７１５に挿入されることにより、保持部材７１が外箱８の内部に位置決めされている。
【００２７】
また、外箱８は、複数（図１では２つのみを図示）の保持片８６を有している。各保持片８６は、ベース部８０の周縁付近から前向きに突出しており鉤状に形成されている。また、保持部材７１は、主板７１１から前向きに突出している複数（図１では２つのみを図示）の突出片７１６を有している。複数の保持片８６が複数の突出片７１６に引っ掛けられることにより、保持部材７１が外箱８の内部に位置決めされている。
【００２８】
また、第一側壁８１は、２つのカバー引掛部８７を有している。２つのカバー引掛部８７は第一側壁８１を上下方向に貫通している。２つのカバー引掛部８７は、第一側壁８１の左右方向の両端付近に形成されている。
【００２９】
また、第二側壁８２及び第四側壁８４からはそれぞれ、前端付近から筐体７の内部空間に向かって、２つのパネル引掛部８８が突出している。各パネル引掛部８８は左右方向から見てＬ字状の部分を含む。
【００３０】
図１に示すように、筐体７は、筐体７を貫通している２つの第一貫通孔７２（貫通孔）を含む。各第一貫通孔７２は、引掛孔７１４に面しており、第一側壁８１を貫通するように形成されている。また、筐体７は、筐体７を貫通している３つの第二貫通孔７３を含む。各第二貫通孔７３は、孔７１３に面しており、ベース部８０を貫通するように形成されている。外部電源から電力を供給するための電源線４００（図２参照）は、筐体７の外部から、第一貫通孔７２又は第二貫通孔７３を通って、筐体７の内部空間に入り、端子台４３の端子に接続される。
【００３１】
電源ブロック４は、筐体７の内部空間において、右下隅に配置されている。蓄電ユニット３は、筐体７の内部空間の下端付近に、電源ブロック４と隣接して配置されている。すなわち、蓄電ユニット３及び電源ブロック４は、第三側壁８３に隣接して配置されている。蓄電ユニット３の蓄電池収納部３１と、基台部４２と、端子台４３とは、ネジ止めにより、保持部材７１に取り付けられている。
【００３２】
２つのランプコネクタ９は、筐体７の内部空間において、右上隅と、左上隅とに配置されている。すなわち、２つのランプコネクタ９は、第一側壁８１の長手方向（左右方向）の両端付近に配置されている。各ランプコネクタ９は、発光ダイオード２４に電気的に接続されている。より詳細には、２つのランプコネクタ９は、光源ユニット２の２つの基板２３に一対一で対応しており、対応する基板２３に実装された発光ダイオード２４に、基板２３上の接続端子を介して電気的に接続されている。
【００３３】
図１、２に示すように、光源ユニット２は、第一側壁８１の付近に配置されている。より詳細には、光源ユニット２の光源ホルダ２２は、第一側壁８１に沿って筐体７の内部空間に収容された状態で筐体７に取り付けられている。発光ダイオード２４は、光源ホルダ２２の長手方向（左右方向）の両端付近に設けられているので、発光ダイオード２４は、ランプコネクタ９の近傍に位置している。ホルダカバー２１は、光源ホルダ２２に取り付けられており、表示ユニット１０と共に、筐体７の前面を覆っている。また、ホルダカバー２１は、上側に図示しない２つの引掛爪を有している。２つの引掛爪は、第一側壁８１に設けられている２つのカバー引掛部８７に一対一で対応して引っ掛けられている。
【００３４】
第一貫通孔７２は、電源ブロック４に対してよりも、光源ユニット２の光源ホルダ２２に対して近い位置に設けられている。
【００３５】
図２、３に示すように、配線部材５の第二片５２と、配線部材６の第二片６２とは、ベース部８０に埋め込まれている。より詳細には、第二片５２及び第二片６２は、同時成形（例えばインサート成形）により、ベース部８０と一体に形成されている。このように、第二片５２及び第二片６２は、電気絶縁性のベース部８０に埋め込まれているので、誤って触れる可能性が低減される。すなわち、第二片５２及び第二片６２が、誤って他の部材と接触して短絡したり、作業者の手又は工具等に引っ掛かって断線したりする可能性が低減される。
【００３６】
配線部材５の第一片５１は、ベース部８０に埋め込まれている第二片５２から、基台部４２と基台部４２に取り付けられた電源カバーとが形成する空間へ突出している。配線部材６の第一片６１は、ベース部８０に埋め込まれている第二片６２から、基台部４２と電源カバーとが形成する空間へ突出している。第一片５１と第一片６１とは、電源ブロック４の電源用基板４１に実装された図示しない刃受に、刃受が有する弾性力によって挟まれている。第一片５１と第一片６１とは、刃受を端子として、電源ブロック４の通常時用の点灯回路と非常時用点灯回路とに電気的に接続されている。保持部材７１の主板７１１は、第一片５１、６１が通る図示しない貫通孔を有しており、保持部材７１と配線部材５、６が電気的に接触しないように形成されている。
【００３７】
配線部材５の第三片５３及び第四片５４は、筐体７の第二側壁８２に埋め込まれている。より詳細には、第三片５３及び第四片５４は、同時成形により、第二側壁８２と一体に形成されている。このように、第三片５３及び第四片５４は、電気絶縁性の第二側壁８２に埋め込まれているので、誤って短絡したり、断線したりする可能性が低減される。第四片５４は、長手方向が第二側壁８２の長手方向（上下方向）に沿うように配置されている。
【００３８】
配線部材６の第三片６３及び第四片６４は、筐体７の第四側壁８４に埋め込まれている。より詳細には、第三片６３及び第四片６４は、同時成形により、第四側壁８４と一体に形成されている。このように、第三片６３及び第四片６４は、電気絶縁性の第四側壁８４に埋め込まれているので、誤って短絡したり、断線したりすることが抑制される。第四片６４は、長手方向が第四側壁８４の長手方向（上下方向）に沿うように配置されている。
【００３９】
上記の通り、配線部材５、６の一部が筐体７に埋め込まれていることにより、例えば、光源ユニット２を筐体７に取り付ける際に、光源ユニット２と筐体７との間に配線部材５（６）が挟まって配線部材５（６）が断線することが抑制される。あるいは、配線部材５（６）が、筐体７の内部空間に通された電源線４００と一緒に挟み込まれるなどして短絡したり、電源線４００に引っ掛かって断線したりすることが抑制される。また、配線部材５（６）に代えて被覆電線を筐体７の内部空間に配線する場合と比べて、被覆電線に端子を取り付けたり、被覆電線を固定したりする配線処理の手間が減る。
【００４０】
図１、３に示すように、配線部材５の第五片５５は、第二側壁８２に埋め込まれている第四片５４から、筐体７の内部空間へ突出している。配線部材６の第五片６５は、第四側壁８４に埋め込まれている第四片６４から、筐体７の内部空間へ突出している。第五片５５と第五片６５とは、２つのランプコネクタ９に一対一で対応して接続されている。
【００４１】
以上より、配線部材５、６は、電源ブロック４と、光源ユニット２の発光ダイオード２４とを、ランプコネクタ９と、基板２３上の接続端子とを介して、電気的に接続している。
【００４２】
上述の通り、電源ブロック４とランプコネクタ９とは、銅線等の電線を用いることなく、配線部材５、６により電気的に接続されている。また、基板２３上の接続端子とランプコネクタ９とも、金属板により電気的に接続されている。また、電源ブロック４と端子台４３の端子との間及び、蓄電ユニット３の蓄電池と電源ブロック４との間も、金属板及びリードフレーム等を用いて電気的に接続されている。このように、表示装置１では、各構成間の電気的な接続が、銅線等の電線を用いることなくなされている。これにより、配線処理の手間を減らし、さらに、筐体７の内部空間での作業性を良好にしている。
【００４３】
図１に示すように、表示ユニット１０は、矩形板状に形成されている。表示ユニット１０は、表示パネル１０１と、図示しない拡散板と、図示しない導光板と、図示しない反射板とをこの順に重ね、パネルケース１０２の内部に保持することにより形成されている。表示パネル１０１及び導光板は、透光性を有する合成樹脂などの材料により形成されている。表示パネル１０１には、ピクトグラム１０３が付されている。パネルケース１０２は、合成樹脂などの電気絶縁性の材料により形成されている。パネルケース１０２は、前面及び上面が開口した直方体状に形成されている。パネルケース１０２の後面には、４つの突起１０４が設けられている。４つの突起１０４のうち２つの突起１０４は、パネルケース１０２の後面の左端付近から後ろ向きに突出して、先端がさらに左向きに突出している。残りの２つの突起１０４は、パネルケース１０２の後面の右端付近から後ろ向きに突出して、先端がさらに右向きに突出している。４つの突起１０４は、外箱８の４つのパネル引掛部８８に一対一で対応して引っ掛けられている。
【００４４】
表示ユニット１０は、光源ユニット２と共に、外箱８の前面を覆うようにして、外箱８に取り付けられている。表示ユニット１０は、上面である入射面１０５が光源ユニット２の光放射面２５１に対向している。発光ダイオード２４から放射された光は、光源ホルダ２２の内部を通って光放射面２５１から取り出されて、表示ユニット１０の入射面１０５から導光板に入射し、導光板での屈折と反射板での反射とを経て、拡散板に向かって放射される。さらに、光は拡散板によって、表示パネル１０１の全面に略均一に拡散される。これにより、表示パネル１０１が照らされる。
【００４５】
上記の通り、本実施形態に係る表示装置１は、筐体７と、電源ブロック４と、光源（発光ダイオード２４）と、配線部材５（６）と、を備える。筐体７は、絶縁部分（外箱８）を含む。絶縁部分は、電気絶縁性を有する。電源ブロック４は、筐体７に収容されている。光源は、電源ブロック４から電力供給を受けて点灯する。配線部材５（６）は、電源ブロック４と光源とを電気的に接続させる。配線部材５（６）は、少なくとも一部が絶縁部分に埋め込まれている。
【００４６】
上記の構成により、表示装置１では、配線部材５（６）は、少なくとも一部が筐体７の絶縁部分（外箱８）に埋め込まれている。これにより、配線部材５（６）のうち絶縁部分に埋め込まれている部位に誤って触れる可能性が低減される。したがって、配線部材５（６）のうち絶縁部分に埋め込まれている部位は、筐体７の内部空間に収容されている場合と比較して、他の配線又は他の部材の取付作業中に誤って他の配線と一緒に挟み込まれたり、作業者の手又は工具等に引っ掛かったりしにくい。すなわち、表示装置１は、内部空間での作業性がより良い。
【００４７】
また、本実施形態に係る表示装置１において、配線部材５（６）は帯状である。
【００４８】
上記の構成により、配線部材５（６）は帯状である。したがって、筐体７の厚みをあまり大きくすることなく、配線部材５（６）を筐体７の絶縁部分（外箱８）に埋め込むことができる。
【００４９】
また、本実施形態に係る表示装置１は、光源ホルダ２２を更に備える。光源ホルダ２２には、光源（発光ダイオード２４）が取り付けられている。筐体７は、貫通孔（第一貫通孔７２）を含む。貫通孔は、電源ブロック４に対してよりも光源ホルダ２２に対して近い位置にある。貫通孔は、電源線４００を筐体７の外部から筐体７の内部空間へ通す。電源線４００は、電源ブロック４へ電力を供給する。
【００５０】
上記の構成により、筐体７は、電源線４００を筐体７の外部から筐体７の内部空間へ通すための貫通孔（第一貫通孔７２）を含む。貫通孔は、電源ブロック４に対してよりも、光源（発光ダイオード２４）が取り付けられている光源ホルダ２２に対して近い位置に設けられている。電源線４００を電源ブロック４に電気的に接続すると、貫通孔が電源ブロック４から離れているほど、電源線４００は、筐体７の内部空間を通る部分が長い。一方で、電源ブロック４と光源とを電気的に接続する配線部材５（６）は、少なくとも一部が筐体７に埋め込まれている。これにより、電源線４００と配線部材５（６）とは、筐体７の内部空間において空間的に互いに干渉することが抑制される。したがって、電源線４００を配線する際に、配線部材５（６）が電源線４００と一緒に挟み込まれたり、電源線４００に引っ掛かったりすることを抑制することができる。すなわち、電源線４００の取付作業性が向上する。
【００５１】
なお、配線部材５、６は、帯状に形成されていなくてもよい。例えば、配線部材５、６は、断面円形の銅線であってもよい。
【００５２】
また、表示装置１は、光源ホルダ２２を備えていなくてもよい。
【００５３】
また、筐体７は第一貫通孔７２を含んでいなくてもよい。
【００５４】
また、光源ユニット２において光源は、発光ダイオードに限定されない。例えば、光源として有機エレクトロルミネッセンス素子、レーザーダイオード素子、白熱電球、水銀灯又は蛍光灯などを用いてもよい。
【００５５】
また、基板２３の数は２つに限定されず、１つであってもよいし、３つ以上であってもよい。さらに、基板２３に実装されている発光ダイオード２４の数は、１つであってもよいし、複数個であってもよい。
【００５６】
また、配線部材（配線部材５、６）の本数は、２本に限定されず、１本であってもよいし、３本以上であってもよい。
【００５７】
また、光源は筐体７に外付けされていてもよい。
【００５８】
また、表示装置１は、筐体７の一部を天井又は壁に埋め込んで設置できるように形成されていてもよい。
【００５９】
また、筐体７は、少なくとも配線部材５、６が埋め込まれている部分が電気絶縁性を有していれば良い。配線部材５、６が埋め込まれていない部分は、例えば金属などの導電性の材料により形成されていてもよい。
【００６０】
また、配線部材５（６）の少なくとも一部を筐体７の絶縁部分に埋め込む方法は、本実施形態のように、配線部材５（６）の一部（第二片５２、６２、第三片５３、６３又は第四片５４、６４）を、絶縁部分と一体に形成するという方法に限定されない。例えば、配線部材５（６）の少なくとも一部が、筐体７に含まれる２つの絶縁部分の間に配置されており、筐体７の内部空間に対して露出しないようにされている場合も、配線部材５（６）の少なくとも一部が絶縁部分に埋め込まれているとする。
【００６１】
また、本実施形態では、電源ブロック４に設けられている刃受によって配線部材５、６を電源ブロック４に電気的に接続しているが、配線部材５、６を電源ブロック４に接続する方法は、これに限定されない。例えば、配線部材５、６に刃受を設けて、電源ブロック４に設けられた栓刃と接続されていてもよい。また、他の形状の端子により配線部材５、６を電源ブロック４に接続してもよい。
【００６２】
上記の各変形例であっても、配線部材５（６）のうち絶縁部分に埋め込まれている部位に誤って触れる可能性が小さいので、表示装置１の内部空間での作業性が向上する。
【００６３】
なお、以上説明した実施形態は本発明の一例である。このため、本発明はこれらの実施形態に限定されず、本発明の趣旨を逸脱しない範囲において種々の変形が可能である。
【符号の説明】
【００６４】
１  表示装置
２２  光源ホルダ
２４  発光ダイオード（光源）
４  電源ブロック
５、６  配線部材
７  筐体
８  外箱（絶縁部分）
７２  第一貫通孔（貫通孔）
４００  電源線
【図１】
2018142522.tif 000003
【図２】
2018142522.tif 000004
【図３】
2018142522.tif 000005